(57)【要約】【課題】本発明は段ボール箱の成型に用いられる高頻度装丁設備を開示した。  【解決手段】ボディーを含み、前記ボディーの中には装丁チャンバが設置され、前記装丁チャンバの左端壁には装丁スタンドが固定的に設置され、前記装丁スタンドには左右対称の装丁溝が設置され、前記装丁スタンドには装丁待ちの段ボール箱が置かれており、前記装丁チャンバの上側には牽引チャンバが連通するように設置され、前記牽引チャンバの中には牽引装置が設置され、前記牽引装置が前記段ボール箱の装丁待ちの両側を平らに押すことができ、本発明の二つの装丁装置が並んで同期せず作動し、これにより二つの装丁装置がそれぞれ同じ位置で一回装丁し、装丁に連続性を持たせ、装丁の効率と速度を向上させる。【選択図】図１
2020199752.tif 000002
【特許請求の範囲】
【請求項１】
正面視で、ボディーを含み、
前記ボディーの中には装丁チャンバが設置され、前記装丁チャンバの左端壁には装丁スタンドが固定的に設置され、前記装丁スタンドには左右対称の装丁溝が設置され、前記装丁スタンドには装丁待ちの段ボール箱が置かれており、前記装丁チャンバの上側には牽引チャンバが連通するように設置され、前記牽引チャンバの中には牽引装置が設置され、前記牽引装置が前記段ボール箱の装丁待ちの両側を平らに押すことができ、
前記牽引チャンバの上側には動力供給装置が設置され、前記動力供給装置が前記牽引装置と動力が伝達できるように連結され、
前記牽引チャンバの右側には左右対称の装丁空間が設置され、前記装丁空間の中には装丁装置が設置され、前記装丁空間の上側には押しチャンバが連通するように設置され、前記押しチャンバの中には前記動力供給装置と噛み合っている回転盤が回転できるように設置され、前記回転盤の下端面には環状筒が固定的に設置され、前記環状筒の下端が前記装丁装置と当接しており、
前記装丁空間の後側には装丁用針の装着装置が設置され、前記装丁用針の装着装置と前記装丁装置との間には動力伝送装置が動力が伝達できるように連結されていることを特徴とする段ボール箱の成型に用いられる高頻度装丁設備
【請求項２】
前記段ボール箱の装丁待ちの両側が上下に重ねて置かれ、前記環状筒の下端面が左方から右方へアーク線斜面の構成を呈することを特徴とする請求項１に記載の段ボール箱の成型に用いられる高頻度装丁設備。
【請求項３】
前記牽引装置は前記牽引チャンバの中に回転できるように設置された牽引回転輪を含み、
前記牽引回転輪の前端面には第一ベベルギヤが固定的に設置され、前記第一ベベルギヤのうち前記装丁スタンドから離れている一端には第二ベベルギヤが噛み合うように連結され、前記第二ベベルギヤの上端面にはギヤ回転軸が固定的に設置され、前記ギヤ回転軸の上端が前記動力供給装置と動力が伝達できるように連結されていることを特徴とする請求項１に記載の段ボール箱の成型に用いられる高頻度装丁設備。
【請求項４】
前記動力供給装置は動力モータを含み、
前記動力モータの下端には動力回転軸が動力が伝達できるように装着され、前記動力回転軸には動力ギヤが固定的に設置され、前記動力ギヤの右端が前記回転盤と噛み合っており、前記動力ギヤの下側には噛み合いチャンバが連通するように設置され、前記動力回転軸の下端が前記噛み合いチャンバの下端壁と回転できるように連結され、且つ前記動力回転軸の下端には半円ギヤが固定的に設置され、
前記噛み合いチャンバが前記牽引チャンバと連通しており、前記ギヤ回転軸の上端が前記噛み合いチャンバの上端壁と回転できるように連結され、且つ前記ギヤ回転軸の上端には噛み合いギヤが固定的に設置され、前記噛み合いチャンバが前記半円ギヤと噛み合うことができていることを特徴とする請求項１に記載の段ボール箱の成型に用いられる高頻度装丁設備。
【請求項５】
前記装丁装置は前記装丁空間の中に設置された装丁圧しブロックを含み、
前記装丁圧しブロックのうち対称中心に近接している端面には第一復帰部品が固定的に設置され、前記第一復帰部品が前記装丁圧しブロックを復帰させることができ、前記装丁圧しブロックの下端面には左右対称の定位輪が装着され、
前記装丁圧しブロックの中には開きチャンバが設置され、前記開きチャンバの中には押しナイフが設置され、左右の前記押しナイフのうち互いに近接している端面にはそれぞれ第二復帰部品が固定的に設置され、前記第二復帰部品が前記押しナイフを復帰させることができ、前記押しナイフの上端には押しロッドが固定的に設置され、前記押しロッドの上端面が前記環状筒と当接しており、
前記開きチャンバのうち対称中心から離れている一端には噛み合い回転チャンバが連通するように設置され、前記噛み合い回転チャンバの中には前記押しナイフと噛み合っている連結ギヤが回転できるように設置され、前記装丁空間のうち対称中心から離れている片側には伝動チャンバが連通するように設置され、前記伝動チャンバの中には伝動回転軸により伝動ギヤが回転できるように設置され、前記伝動ギヤが前記連結ギヤと噛み合うことができ、前記伝動回転軸の後端が前記動力伝送装置と動力が伝達できるように連結されていることを特徴とする請求項１に記載の段ボール箱の成型に用いられる高頻度装丁設備。
【請求項６】
前記第二復帰部品の中のばねの弾性が前記第一復帰部品の中のばねの弾性より大きいことを特徴とする請求項５に記載の段ボール箱の成型に用いられる高頻度装丁設備。
【請求項７】
前記装丁用針の装着装置は前記装丁空間に連通している装丁用針スライドチャンバを含み、
前記装丁用針スライドチャンバの中には装丁用針スライダがスライドできるように設置され、前記装丁用針スライダの中には装丁用針装着チャンバが設置され、前記装丁用針装着チャンバの中には装丁用針が装着され、前記装丁用針装着チャンバの内前側と前記装丁用針スライドチャンバとの間には上下対称の針圧し溝が連通するように設置され、前記装丁用針装着チャンバのうち対称中心に近接している一端と前記装丁用針スライドチャンバとの間には貫通溝が連通するように設置され、
前記装丁用針スライドチャンバの片側には収縮溝が連通するように設置され、前記収縮溝の中にはＬ型の収縮ロッドがスライドできるように設置され、前記収縮ロッドの後端が前記貫通溝を貫通して前記装丁用針装着チャンバの中に伸びており、且つ前記装丁用針の後端と当接しており、前記収縮ロッドの前端と前記収縮溝との間には伸縮ばねが固定的に設置され、前記装丁用針装着チャンバのうち前記貫通溝から離れている一端と前記装丁用針スライドチャンバとの間には開き溝が連通するように設置され、前記開き溝の前端壁には感応制御ブロックが固定的に設置され、
前記装丁用針スライドチャンバの上側には回しロッドチャンバが連通するように設置され、前記回しロッドチャンバの中には前記装丁圧しブロックと噛み合っている回しギヤが回転できるように設置され、前記回しギヤの外周には回転ロッドが固定的に設置され、前記回しロッドチャンバの中には連結ロッドが回転できるように設置され、前記連結ロッドの下端が前記装丁用針スライダとヒンジにより連結され、前記連結ロッドと前記回しロッドチャンバとの間には回転ばねが固定的に設置され、
左右の前記装丁用針スライドチャンバのうち互いに離れている片側にはそれぞれ移動チャンバが設置され、前記移動チャンバと前記装丁用針スライドチャンバとの間には連結チャンバが連通するように設置され、前記移動チャンバの中には移動ブロックが設置され、前記移動ブロックが前記装丁用針スライダと固定的に連結され、前記移動ブロックの中には十文字の移動スライド溝が設置され、前記移動スライド溝の中には移動親ねじが回転できるように設置され、前記移動スライド溝の前後側には対称の回転溝が連通するように設置され、前記回転溝の内端壁には気体シリンダーが固定的に設置され、前記移動親ねじの前端が前側の前記回転溝の前端まで伸びており、且つ前記移動親ねじの前端には回転ギヤが固定的に設置され、前記回転ギヤが前記動力伝送装置と動力が伝達できるように連結され、前記移動親ねじの後端が後側の前記回転溝の後端壁と回転できるように連結され、前記移動親ねじには捻りばねが設置され、
前記移動スライド溝と前記連結チャンバとの間には連通溝が連通するように設置され、前記移動スライド溝の中にある前記移動親ねじには移動ブロックがネジ山により連結され、前記移動ブロックの右端には回しロッドが固定的に設置され、前記回しロッドのうち前記装丁用針スライドチャンバに近接している一端が前記連通溝を貫通して前記装丁用針装着チャンバの中に伸びていることを特徴とする請求項１に記載の段ボール箱の成型に用いられる高頻度装丁設備。
【請求項８】
前記動力伝送装置は前記移動チャンバと連通している伝動空間を含み、
前記伝動空間の中には回転軸が回転できるように設置され、前記回転軸の後端が前記伝動空間の後端壁と回転できるように連結され、前記回転軸には固定ギヤが固定的に設置され、前記固定ギヤが前記回転ギヤと噛み合っており、
前記伝動空間の前側には片方向回転チャンバが連通するように設置され、前記回転軸の前端が前記片方向回転チャンバの中に伸びており、且つ前記回転軸の前端には外回転輪が固定的に設置され、前記外回転輪の中にはラチェットギヤが片方向に噛み合うように連結され、前記ラチェットギヤの前端には連結軸が固定的に設置され、
前記片方向回転チャンバの前側には推しチャンバが連通するように設置され、前記推しチャンバの中には推しブロックがスライドできるように設置され、前記推しブロックの中にはスプラインスリーブが回転できるように設置され、前記スプラインスリーブの後端が前記連結軸とスプラインにより連結されることができ、前記スプラインスリーブの前端にはスプライン軸がスプラインにより連結され、前記スプライン軸と前記伝動回転軸との間はベルトにより動力が伝達できるように連結され、前記推しチャンバの前端壁には油圧シリンダーが固定的に設置され、前記油圧シリンダーの後端には伸縮ロッドが動力が伝達できるように装着され、前記伸縮ロッドの後端が前記推しブロックと固定的に連結され、前記感応制御ブロックが前記油圧シリンダーを制御して作動させることができることを特徴とする請求項１に記載の段ボール箱の成型に用いられる高頻度装丁設備。
【発明の詳細な説明】
【技術分野】
【０００１】
本発明は包装技術分野を取り上げて、具体的には段ボール箱の成型に用いられる高頻度装丁設備である。
【背景技術】
【０００２】
現有の段ボール箱の成型に用いられる装丁機が主に人力で操作され、人が手動で段ボール箱の装丁待ちの側を一緒に折り畳み、また装丁装置に置き、次に人力で装丁装置の作業を制御し、操作の過程において操作のミスを犯しやすく、作業員の安全を害し、また、装丁の過程において装丁用の針を補充する時、装丁設備を止める必要があり、これにより装丁の効率を下げ、本発明は上記の問題を解決できる装置を開示した。
【先行技術文献】
【特許文献】
【０００３】
【特許文献１】中国特許出願公開第１０９２６３１４２号明細書
【発明の概要】
【発明が解決しようとする課題】
【０００４】
技術問題：
現有の装丁設備は主に人力で補助操作され、安全性が低く、しかも装丁装置の中の使用される装丁用の針の補充には設備を止める必要があり、装丁の効率を下げる。
【課題を解決するための手段】
【０００５】
上記の問題を解決するために、本発明は段ボール箱の成型に用いられる高頻度装丁設備を提供し、本発明の段ボール箱の成型に用いられる高頻度装丁設備は、ボディーを含み、前記ボディーの中には装丁チャンバが設置され、前記装丁チャンバの左端壁には装丁スタンドが固定的に設置され、前記装丁スタンドには左右対称の装丁溝が設置され、前記装丁スタンドには装丁待ちの段ボール箱が置かれており、前記装丁チャンバの上側には牽引チャンバが連通するように設置され、前記牽引チャンバの中には牽引装置が設置され、前記牽引装置が前記段ボール箱の装丁待ちの両側を平らに押すことができ、前記牽引チャンバの上側には動力供給装置が設置され、前記動力供給装置が前記牽引装置と動力が伝達できるように連結され、前記牽引チャンバの右側には左右対称の装丁空間が設置され、前記装丁空間の中には装丁装置が設置され、前記装丁空間の上側には押しチャンバが連通するように設置され、前記押しチャンバの中には前記動力供給装置と噛み合っている回転盤が回転できるように設置され、前記回転盤の下端面には環状筒が固定的に設置され、前記環状筒の下端が前記装丁装置と当接しており、前記装丁空間の後側には装丁用針の装着装置が設置され、前記装丁用針の装着装置と前記装丁装置との間には動力伝送装置が動力が伝達できるように連結され、前記段ボール箱の装丁待ちの両側を前記装丁スタンドに置き、前記牽引装置が前記段ボール箱の装丁待ちの両側を平らにして、且つ前記段ボール箱を推し動かして右方へ移動させ、前記装丁装置が作動して前記段ボール箱を装丁する。
【０００６】
好ましくは、前記段ボール箱の装丁待ちの両側が上下に重ねて置かれ、前記環状筒の下端面が左方から右方へアーク線斜面の構成を呈し、これにより前記環状筒が回転する時、二つの前記装丁装置が独立して同期せず作動し、これにより前記段ボール箱に連続装丁を行う。
【０００７】
好ましくは、前記牽引装置は前記牽引チャンバの中に回転できるように設置された牽引回転輪を含み、前記牽引回転輪の前端面には第一ベベルギヤが固定的に設置され、前記第一ベベルギヤのうち前記装丁スタンドから離れている一端には第二ベベルギヤが噛み合うように連結され、前記第二ベベルギヤの上端面にはギヤ回転軸が固定的に設置され、前記ギヤ回転軸の上端が前記動力供給装置と動力が伝達できるように連結され、前記牽引回転輪が回転して前記段ボール箱の装丁待ちの両側を平らにし、且つ前記段ボール箱を推し動かして右方へ移動させる。
【０００８】
好ましくは、前記動力供給装置は動力モータを含み、前記動力モータの下端には動力回転軸が動力が伝達できるように装着され、前記動力回転軸には動力ギヤが固定的に設置され、前記動力ギヤの右端が前記回転盤と噛み合っており、前記動力ギヤの下側には噛み合いチャンバが連通するように設置され、前記動力回転軸の下端が前記噛み合いチャンバの下端壁と回転できるように連結され、且つ前記動力回転軸の下端には半円ギヤが固定的に設置され、前記噛み合いチャンバが前記牽引チャンバと連通しており、前記ギヤ回転軸の上端が前記噛み合いチャンバの上端壁と回転できるように連結され、且つ前記ギヤ回転軸の上端には噛み合いギヤが固定的に設置され、前記噛み合いチャンバが前記半円ギヤと噛み合うことができ、前記動力モータが前記回転盤を駆動して回転させ、これにより前記装丁装置が作動して、前記半円ギヤが前記噛み合いギヤを連動させて間欠的に回転させることができ、これにより前記装丁装置が作動する時に前記牽引装置が停止し、定点装丁を完成する。
【０００９】
好ましくは、前記装丁装置は前記装丁空間の中に設置された装丁圧しブロックを含み、前記装丁圧しブロックのうち対称中心に近接している端面には第一復帰部品が固定的に設置され、前記第一復帰部品が前記装丁圧しブロックを復帰させることができ、前記装丁圧しブロックの下端面には左右対称の定位輪が装着され、前記装丁圧しブロックの中には開きチャンバが設置され、前記開きチャンバの中には押しナイフが設置され、左右の前記押しナイフのうち互いに近接している端面にはそれぞれ第二復帰部品が固定的に設置され、前記第二復帰部品が前記押しナイフを復帰させることができ、前記押しナイフの上端には押しロッドが固定的に設置され、前記押しロッドの上端面が前記環状筒と当接しており、前記開きチャンバのうち対称中心から離れている一端には噛み合い回転チャンバが連通するように設置され、前記噛み合い回転チャンバの中には前記押しナイフと噛み合っている連結ギヤが回転できるように設置され、前記装丁空間のうち対称中心から離れている片側には伝動チャンバが連通するように設置され、前記伝動チャンバの中には伝動回転軸により伝動ギヤが回転できるように設置され、前記伝動ギヤが前記連結ギヤと噛み合うことができ、前記伝動回転軸の後端が前記動力伝送装置と動力が伝達できるように連結され、前記環状筒が回転して前記装丁圧しブロックを下降させることができ、前記段ボール箱の位置を固定し、前記押しナイフと前記装丁用針の装着装置との協働により前記段ボール箱の装丁を完成する。
【００１０】
好ましくは、前記第二復帰部品の中のばねの弾性が前記第一復帰部品の中のばねの弾性より大きく、これにより前記押しロッドが前記押しナイフを連動させて下降させる時、前記押しナイフがまず前記装丁圧しブロックを連動させて同期的に下降させ、前記装丁圧しブロックが下降できない時、前記押しナイフが前記装丁圧しブロックに対して下降しはじめ、これにより前記段ボール箱の装丁を行う。
【００１１】
好ましくは、前記装丁用針の装着装置は前記装丁空間に連通している装丁用針スライドチャンバを含み、前記装丁用針スライドチャンバの中には装丁用針スライダがスライドできるように設置され、前記装丁用針スライダの中には装丁用針装着チャンバが設置され、前記装丁用針装着チャンバの中には装丁用針が装着され、前記装丁用針装着チャンバの内前側と前記装丁用針スライドチャンバとの間には上下対称の針圧し溝が連通するように設置され、前記装丁用針装着チャンバのうち対称中心に近接している一端と前記装丁用針スライドチャンバとの間には貫通溝が連通するように設置され、前記装丁用針スライドチャンバの片側には収縮溝が連通するように設置され、前記収縮溝の中にはＬ型の収縮ロッドがスライドできるように設置され、前記収縮ロッドの後端が前記貫通溝を貫通して前記装丁用針装着チャンバの中に伸びており、且つ前記装丁用針の後端と当接しており、前記収縮ロッドの前端と前記収縮溝との間には伸縮ばねが固定的に設置され、前記装丁用針装着チャンバのうち前記貫通溝から離れている一端と前記装丁用針スライドチャンバとの間には開き溝が連通するように設置され、前記開き溝の前端壁には感応制御ブロックが固定的に設置され、前記装丁用針スライドチャンバの上側には回しロッドチャンバが連通するように設置され、前記回しロッドチャンバの中には前記装丁圧しブロックと噛み合っている回しギヤが回転できるように設置され、前記回しギヤの外周には回転ロッドが固定的に設置され、前記回しロッドチャンバの中には連結ロッドが回転できるように設置され、前記連結ロッドの下端が前記装丁用針スライダとヒンジにより連結され、前記連結ロッドと前記回しロッドチャンバとの間には回転ばねが固定的に設置され、左右の前記装丁用針スライドチャンバのうち互いに離れている片側にはそれぞれ移動チャンバが設置され、前記移動チャンバと前記装丁用針スライドチャンバとの間には連結チャンバが連通するように設置され、前記移動チャンバの中には移動ブロックが設置され、前記移動ブロックが前記装丁用針スライダと固定的に連結され、前記移動ブロックの中には十文字の移動スライド溝が設置され、前記移動スライド溝の中には移動親ねじが回転できるように設置され、前記移動スライド溝の前後側には対称の回転溝が連通するように設置され、前記回転溝の内端壁には気体シリンダーが固定的に設置され、前記移動親ねじの前端が前側の前記回転溝の前端まで伸びており、且つ前記移動親ねじの前端には回転ギヤが固定的に設置され、前記回転ギヤが前記動力伝送装置と動力が伝達できるように連結され、前記移動親ねじの後端が後側の前記回転溝の後端壁と回転できるように連結され、前記移動親ねじには捻りばねが設置され、前記移動スライド溝と前記連結チャンバとの間には連通溝が連通するように設置され、前記移動スライド溝の中にある前記移動親ねじには移動ブロックがネジ山により連結され、前記移動ブロックの右端には回しロッドが固定的に設置され、前記回しロッドのうち前記装丁用針スライドチャンバに近接している一端が前記連通溝を貫通して前記装丁用針装着チャンバの中に伸びており、前記装丁用針が装丁するたびに一つ使用され、これにより回しロッドが前記装丁用針を回して前方へ移動させ、次回の装丁を準備する。
【００１２】
好ましくは、前記動力伝送装置は前記移動チャンバと連通している伝動空間を含み、前記伝動空間の中には回転軸が回転できるように設置され、前記回転軸の後端が前記伝動空間の後端壁と回転できるように連結され、前記回転軸には固定ギヤが固定的に設置され、前記固定ギヤが前記回転ギヤと噛み合っており、前記伝動空間の前側には片方向回転チャンバが連通するように設置され、前記回転軸の前端が前記片方向回転チャンバの中に伸びており、且つ前記回転軸の前端には外回転輪が固定的に設置され、前記外回転輪の中にはラチェットギヤが片方向に噛み合うように連結され、前記ラチェットギヤの前端には連結軸が固定的に設置され、前記片方向回転チャンバの前側には推しチャンバが連通するように設置され、前記推しチャンバの中には推しブロックがスライドできるように設置され、前記推しブロックの中にはスプラインスリーブが回転できるように設置され、前記スプラインスリーブの後端が前記連結軸とスプラインにより連結されることができ、前記スプラインスリーブの前端にはスプライン軸がスプラインにより連結され、前記スプライン軸と前記伝動回転軸との間はベルトにより動力が伝達できるように連結され、前記推しチャンバの前端壁には油圧シリンダーが固定的に設置され、前記油圧シリンダーの後端には伸縮ロッドが動力が伝達できるように装着され、前記伸縮ロッドの後端が前記推しブロックと固定的に連結され、前記感応制御ブロックが前記油圧シリンダーを制御して作動させることができ、前記動力伝送装置は前記装丁装置が一回作動した後に前記装丁用針の装着装置を連動させて一回作動させることができ、これにより前記装丁用針がタイムリーに補充される。
【発明の効果】
【００１３】
本発明の有益効果は：本発明の二つの装丁装置が並んで同期せず作動し、これにより二つの装丁装置がそれぞれ同じ位置で一回装丁し、しかも二つの装丁装置が交替で作動する過程において、段ボール箱が移動でき、装丁に連続性を持たせ、また、装丁用の装丁用針を入れる時、装丁装置が停止する必要がなく、これにより装丁作業が連続的に行われることができ、装丁の効率と速度を向上させる。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の段ボール箱の成型に用いられる高頻度装丁設備の全体構成模式図
【図２】図２は図１の「Ａ―Ａ」方向の構成模式図
【図３】図３は図２の「Ｂ―Ｂ」方向の構成模式図
【図４】図４は図３の「Ｃ―Ｃ」方向の構成模式図
【図５】図５は図３の「Ｄ」の拡大構成模式図
【発明を実施するための形態】
【００１６】
本発明は段ボール箱の成型に用いられる高頻度装丁設備を取り上げて、主に段ボール箱の成型過程における段ボール箱の装丁作業に用いられ、以下は本発明の付図を交えて本発明を更に説明する：  
【００１７】
図１〜５を参照し、本発明の段ボール箱の成型に用いられる高頻度装丁設備は、ボディー１０を含み、前記ボディー１０の中には装丁チャンバ１１が設置され、前記装丁チャンバ１１の左端壁には装丁スタンド１２が固定的に設置され、前記装丁スタンド１２には左右対称の装丁溝１３が設置され、前記装丁スタンド１２には装丁待ちの段ボール箱１４が置かれており、前記装丁チャンバ１１の上側には牽引チャンバ１５が連通するように設置され、前記牽引チャンバ１５の中には牽引装置６０１が設置され、前記牽引装置６０１が前記段ボール箱１４の装丁待ちの両側を平らに押すことができ、前記牽引チャンバ１５の上側には動力供給装置６０２が設置され、前記動力供給装置６０２が前記牽引装置６０１と動力が伝達できるように連結され、前記牽引チャンバ１５の右側には左右対称の装丁空間２６が設置され、前記装丁空間２６の中には装丁装置６０３が設置され、前記装丁空間２６の上側には押しチャンバ４７が連通するように設置され、前記押しチャンバ４７の中には前記動力供給装置６０２と噛み合っている回転盤２８が回転できるように設置され、前記回転盤２８の下端面には環状筒４８が固定的に設置され、前記環状筒４８の下端が前記装丁装置６０３と当接しており、前記装丁空間２６の後側には装丁用針の装着装置６０４が設置され、前記装丁用針の装着装置６０４と前記装丁装置６０３との間には動力伝送装置６０５が動力が伝達できるように連結され、前記段ボール箱１４の装丁待ちの両側を前記装丁スタンド１２に置き、前記牽引装置６０１が前記段ボール箱１４の装丁待ちの両側を平らにして、且つ前記段ボール箱１４を推し動かして右方へ移動させ、前記装丁装置６０３が作動して前記段ボール箱１４を装丁する。  
【００１８】
有益的には、前記段ボール箱１４の装丁待ちの両側が上下に重ねて置かれ、前記環状筒４８の下端面が左方から右方へアーク線斜面の構成を呈し、これにより前記環状筒４８が回転する時、二つの前記装丁装置６０３が独立して同期せず作動し、これにより前記段ボール箱１４に連続装丁を行う。
【００１９】
有益的には、前記牽引装置６０１は前記牽引チャンバ１５の中に回転できるように設置された牽引回転輪１６を含み、前記牽引回転輪１６の前端面には第一ベベルギヤ１７が固定的に設置され、前記第一ベベルギヤ１７のうち前記装丁スタンド１２から離れている一端には第二ベベルギヤ１８が噛み合うように連結され、前記第二ベベルギヤ１８の上端面にはギヤ回転軸１９が固定的に設置され、前記ギヤ回転軸１９の上端が前記動力供給装置６０２と動力が伝達できるように連結され、前記牽引回転輪１６が回転して前記段ボール箱１４の装丁待ちの両側を平らにし、且つ前記段ボール箱１４を推し動かして右方へ移動させる。
【００２０】
有益的には、前記動力供給装置６０２は動力モータ２４を含み、前記動力モータ２４の下端には動力回転軸２３が動力が伝達できるように装着され、前記動力回転軸２３には動力ギヤ２５が固定的に設置され、前記動力ギヤ２５の右端が前記回転盤２８と噛み合っており、前記動力ギヤ２５の下側には噛み合いチャンバ２０が連通するように設置され、前記動力回転軸２３の下端が前記噛み合いチャンバ２０の下端壁と回転できるように連結され、且つ前記動力回転軸２３の下端には半円ギヤ２２が固定的に設置され、前記噛み合いチャンバ２０が前記牽引チャンバ１５と連通しており、前記ギヤ回転軸１９の上端が前記噛み合いチャンバ２０の上端壁と回転できるように連結され、且つ前記ギヤ回転軸１９の上端には噛み合いギヤ２１が固定的に設置され、前記噛み合いチャンバ２１が前記半円ギヤ２２と噛み合うことができ、前記動力モータ２４が前記回転盤２８を駆動して回転させ、これにより前記装丁装置６０３が作動して、前記半円ギヤ２２が前記噛み合いギヤ２１を連動させて間欠的に回転させることができ、これにより前記装丁装置６０３が作動する時に前記牽引装置６０１が停止し、定点装丁を完成する。
【００２１】
有益的には、前記装丁装置６０３は前記装丁空間２６の中に設置された装丁圧しブロック２７を含み、前記装丁圧しブロック２７のうち対称中心に近接している端面には第一復帰部品３２が固定的に設置され、前記第一復帰部品３２が前記装丁圧しブロック２７を復帰させることができ、前記装丁圧しブロック２７の下端面には左右対称の定位輪３３が装着され、前記装丁圧しブロック２７の中には開きチャンバ３４が設置され、前記開きチャンバ３４の中には押しナイフ３０が設置され、左右の前記押しナイフ３０のうち互いに近接している端面にはそれぞれ第二復帰部品３１が固定的に設置され、前記第二復帰部品３１が前記押しナイフ３０を復帰させることができ、前記押しナイフ３０の上端には押しロッド２９が固定的に設置され、前記押しロッド２９の上端面が前記環状筒４８と当接しており、前記開きチャンバ３４のうち対称中心から離れている一端には噛み合い回転チャンバ３６が連通するように設置され、前記噛み合い回転チャンバ３６の中には前記押しナイフ３０と噛み合っている連結ギヤ３７が回転できるように設置され、前記装丁空間２６のうち対称中心から離れている片側には伝動チャンバ３５が連通するように設置され、前記伝動チャンバ３５の中には伝動回転軸３９により伝動ギヤ３８が回転できるように設置され、前記伝動ギヤ３８が前記連結ギヤ３７と噛み合うことができ、前記伝動回転軸３９の後端が前記動力伝送装置６０５と動力が伝達できるように連結され、前記環状筒４８が回転して前記装丁圧しブロック２７を下降させることができ、前記段ボール箱１４の位置を固定し、前記押しナイフ３０と前記装丁用針の装着装置６０４との協働により前記段ボール箱１４の装丁を完成する。
【００２２】
有益的には、前記第二復帰部品３１の中のばねの弾性が前記第一復帰部品３２の中のばねの弾性より大きく、これにより前記押しロッド２９が前記押しナイフ３０を連動させて下降させる時、前記押しナイフ３０がまず前記装丁圧しブロック２７を連動させて同期的に下降させ、前記装丁圧しブロック２７が下降できない時、前記押しナイフ３０が前記装丁圧しブロック２７に対して下降しはじめ、これにより前記段ボール箱１４の装丁を行う。
【００２３】
有益的には、前記装丁用針の装着装置６０４は前記装丁空間２６に連通している装丁用針スライドチャンバ４５を含み、前記装丁用針スライドチャンバ４５の中には装丁用針スライダ４６がスライドできるように設置され、前記装丁用針スライダ４６の中には装丁用針装着チャンバ４９が設置され、前記装丁用針装着チャンバ４９の中には装丁用針５１が装着され、前記装丁用針装着チャンバ４９の内前側と前記装丁用針スライドチャンバ４５との間には上下対称の針圧し溝５０が連通するように設置され、前記装丁用針装着チャンバ４９のうち対称中心に近接している一端と前記装丁用針スライドチャンバ４５との間には貫通溝５７が連通するように設置され、前記装丁用針スライドチャンバ４５の片側には収縮溝５５が連通するように設置され、前記収縮溝５５の中にはＬ型の収縮ロッド５３がスライドできるように設置され、前記収縮ロッド５３の後端が前記貫通溝５７を貫通して前記装丁用針装着チャンバ４９の中に伸びており、且つ前記装丁用針５１の後端と当接しており、前記収縮ロッド５３の前端と前記収縮溝５５との間には伸縮ばね５６が固定的に設置され、前記装丁用針装着チャンバ４９のうち前記貫通溝５７から離れている一端と前記装丁用針スライドチャンバ４５との間には開き溝５８が連通するように設置され、前記開き溝５８の前端壁には感応制御ブロック５９が固定的に設置され、前記装丁用針スライドチャンバ４５の上側には回しロッドチャンバ４０が連通するように設置され、前記回しロッドチャンバ４０の中には前記装丁圧しブロック２７と噛み合っている回しギヤ４１が回転できるように設置され、前記回しギヤ４１の外周には回転ロッド４２が固定的に設置され、前記回しロッドチャンバ４０の中には連結ロッド４３が回転できるように設置され、前記連結ロッド４３の下端が前記装丁用針スライダ４６とヒンジにより連結され、前記連結ロッド４３と前記回しロッドチャンバ４０との間には回転ばね４４が固定的に設置され、左右の前記装丁用針スライドチャンバ４５のうち互いに離れている片側にはそれぞれ移動チャンバ６９が設置され、前記移動チャンバ６９と前記装丁用針スライドチャンバ４５との間には連結チャンバ６０が連通するように設置され、前記移動チャンバ６９の中には移動ブロック６１が設置され、前記移動ブロック６１が前記装丁用針スライダ４６と固定的に連結され、前記移動ブロック６１の中には十文字の移動スライド溝６２が設置され、前記移動スライド溝６２の中には移動親ねじ６３が回転できるように設置され、前記移動スライド溝６２の前後側には対称の回転溝６６が連通するように設置され、前記回転溝６６の内端壁には気体シリンダー６７が固定的に設置され、前記移動親ねじ６３の前端が前側の前記回転溝６６の前端まで伸びており、且つ前記移動親ねじ６３の前端には回転ギヤ６８が固定的に設置され、前記回転ギヤ６８が前記動力伝送装置６０５と動力が伝達できるように連結され、前記移動親ねじ６３の後端が後側の前記回転溝６６の後端壁と回転できるように連結され、前記移動親ねじ６３には捻りばね９０が設置され、前記移動スライド溝６２と前記連結チャンバ６０との間には連通溝６４が連通するように設置され、前記移動スライド溝６２の中にある前記移動親ねじ６３には移動ブロック６５がネジ山により連結され、前記移動ブロック６５の右端には回しロッド５２が固定的に設置され、前記回しロッド５２のうち前記装丁用針スライドチャンバ４５に近接している一端が前記連通溝６４を貫通して前記装丁用針装着チャンバ４９の中に伸びており、前記装丁用針５１が装丁するたびに一つ使用され、これにより回しロッド５２が前記装丁用針５１を回して前方へ移動させ、次回の装丁を準備する。
【００２４】
有益的には、前記動力伝送装置６０５は前記移動チャンバ６９と連通している伝動空間７１を含み、前記伝動空間７１の中には回転軸７３が回転できるように設置され、前記回転軸７３の後端が前記伝動空間７１の後端壁と回転できるように連結され、前記回転軸７３には固定ギヤ７０が固定的に設置され、前記固定ギヤ７０が前記回転ギヤ６８と噛み合っており、前記伝動空間７１の前側には片方向回転チャンバ７２が連通するように設置され、前記回転軸７３の前端が前記片方向回転チャンバ７２の中に伸びており、且つ前記回転軸７３の前端には外回転輪７４が固定的に設置され、前記外回転輪７４の中にはラチェットギヤ７５が片方向に噛み合うように連結され、前記ラチェットギヤ７５の前端には連結軸７６が固定的に設置され、前記片方向回転チャンバ７２の前側には推しチャンバ７７が連通するように設置され、前記推しチャンバ７７の中には推しブロック７８がスライドできるように設置され、前記推しブロック７８の中にはスプラインスリーブ８１が回転できるように設置され、前記スプラインスリーブ８１の後端が前記連結軸７６とスプラインにより連結されることができ、前記スプラインスリーブ８１の前端にはスプライン軸８３がスプラインにより連結され、前記スプライン軸８３と前記伝動回転軸３９との間はベルト８４により動力が伝達できるように連結され、前記推しチャンバ７７の前端壁には油圧シリンダー７９が固定的に設置され、前記油圧シリンダー７９の後端には伸縮ロッド８０が動力が伝達できるように装着され、前記伸縮ロッド８０の後端が前記推しブロック７８と固定的に連結され、前記感応制御ブロック５９が前記油圧シリンダー７９を制御して作動させることができ、前記動力伝送装置６０５は前記装丁装置６０３が一回作動した後に前記装丁用針の装着装置６０４を連動させて一回作動させることができ、これにより前記装丁用針５１がタイムリーに補充される。
【００２５】
以下は図１〜５を交えて本文の段ボール箱の成型に用いられる高頻度装丁設備の使用ステップを詳しく説明する：
【００２６】
初期状態において、左右の装丁圧しブロック２７が装丁空間２６の中に位置しており、装丁用針スライダ４６が装丁用針スライドチャンバ４５の中に位置しており、移動ブロック６５が移動スライド溝６２の水平空間の中に位置しており、段ボール箱１４の装丁待ちの両側が装丁スタンド１２に重ねて置かれている。
【００２７】
装丁する時、動力モータ２４が作動して動力ギヤ２５を駆動して回転させ、半円ギヤ２２が噛み合いギヤ２１と噛み合っている時、半円ギヤ２２が噛み合いギヤ２１を連動させて回転させ、牽引回転輪１６を連動させて回転させることができ、これにより牽引回転輪１６が段ボール箱１４を推し動かして右方へ移動させ、同時に、動力ギヤ２５が回転盤２８を連動させて回転させ、これにより環状筒４８が左側の押しロッド２９を下方へ押して下降させ、これにより左側の装丁圧しブロック２７が下降し、これにより定位輪３３が段ボール箱１４と当接して段ボール箱１４の位置を固定し、この時に半円ギヤ２２が噛み合いギヤ２１から離脱し、これにより牽引回転輪１６が回転を停止し、装丁圧しブロック２７が下降する過程において、回しギヤ４１が回転し、これにより回転ロッド４２が連結ロッド４３を回して回転させ、これにより装丁用針スライダ４６が前方へ開きチャンバ３４の中に伸び、この時、左側の連結ギヤ３７が伝動ギヤ３８と噛み合い、押しロッド２９が下降し続け、これにより押しナイフ３０が下降して一つの装丁用針５１を下方へ押して下降させ、装丁用針５１が段ボール箱１４を貫通し、且つ装丁溝１３の中に向き合って曲がり、段ボール箱１４を装丁し、この時、連結ギヤ３７が伝動ギヤ３８を連動させて回転させ、ベルト８４によりラチェットギヤ７５を回転させ、これにより外回転輪７４が回転しなく、回転盤２８は環状筒４８の長端が左側の押しロッド２９から分離するまで回転した時、押しナイフ３０が第二復帰部品３１の作用のもとで上昇し、連結ギヤ３７が伝動ギヤ３８を連動させて逆方向へ回転させ、これによりラチェットギヤ７５を逆方向へ回転させ、これにより外回転輪７４が逆方向へ回転し、これにより油圧シリンダー７９が回転ギヤ６８を連動させて回転させ、更に移動親ねじ６３を回転させ、捻りばね９０が弾性エネルギーを蓄積し、これにより移動ブロック６５が前方へ移動し、回しロッド５２により装丁用針５１を推し動かして前方へ一つの装丁用針の距離移動させ、前端の装丁用針を針圧し溝５０の間まで推し動かし、次回の装丁を準備し、この時、半円ギヤ２２が噛み合いギヤ２１と噛み合い、これにより牽引回転輪１６が回転して段ボール箱１４を推し動かして右方へ移動させ、前回の装丁位置が右側の装丁空間２６の下側の位置に位置しており、環状筒４８が右側の押しロッド２９を下方へ押すまで回転する時、右側の定位輪３３が段ボール箱１４の位置を固定し、右側の押しナイフ３０が右側の装丁用針５１を押して下降させ、同じ位置で装丁用針５１が段ボール箱１４を貫通して段ボール箱１４を装丁し、この位置で二回装丁し、そして環状筒４８が左側の押しロッド２９を下方へ押しすまで回転する時、右側の押しナイフ３０が上昇し、右側の回しロッド５２を連動させて装丁用針５１を前方へ押し動かし、次回の装丁を準備し、これにより隣接の二つの装丁点の位置距離が二つの押しナイフ３０の間の距離に等しく、装丁用針５１を使用する過程において、伸縮ロッド５３が伸縮ばね５６の作用のもとで前方へ移動し、後側の補充用の装丁用針５１を推し動かして前方へ移動させ、回しロッド５２の前側の装丁用針５１を使い切った時、回しロッド５２が感応制御ブロック５９を触発させて作動させ、これにより油圧シリンダー７９が作動し、伸縮ロッド８０により推しブロック７８を推し動かして後方へ移動させ、これによりスプラインスリーブ８１がスプライン軸８３から離脱し、この過程において、移動ブロック６５が前側の回転溝６６の中で鉛直になるまで回転し、前側の気体シリンダー６７が作動して移動ブロック６５を推し動かして後方へ移動させ、移動ブロック６５が移動スライド溝６２の鉛直空間の中まで移動し、これにより移動親ねじ６３が捻りばね９０の作用のもとで逆方向へ回転し、これにより移動ブロック６５が移動スライド溝６２に沿って後側の回転溝６６の中まで後方へ移動し、且つ水平に置かれるまで回転し、これにより回しロッド５２が移動ブロック６５とともに回転して補充用の装丁用針５１の中に挿入され、後側の気体シリンダー６７が作動して移動ブロック６５を推し動かして前方へ移動スライド溝６２の水平空間の中まで移動させ、この時、油圧シリンダー７９が作動し、これにより第二ベベルギヤ１８がスプライン軸８３と再び連結され、装丁の継続により移動ブロック６５を連動させて前方へ移動させ、これにより回しロッド５２が前方へ移動して装丁用針５１を推し動かして前方へ移動させて装丁を行うことができ、これにより伸縮ロッド５３を後方へ引いて新しい装丁用針５１を装丁用針の装着チャンバ４９の中に入れることができ、装丁用針５１を入れる過程において装丁が停止しなく、装丁の効率を上げる。
【００２８】
本発明の有益効果は：本発明の二つの装丁装置が並んで同期せず作動し、これにより二つの装丁装置がそれぞれ同じ位置で一回装丁し、しかも二つの装丁装置が交替で作動する過程において、段ボール箱が移動でき、装丁に連続性を持たせ、また、装丁用の装丁用針を入れる時、装丁装置が停止する必要がなく、これにより装丁作業が連続的に行われることができ、装丁の効率と速度を向上させる。
【００２９】
以上の方式により、本分野の技術者が本発明の範囲内に作動モードにより各種な変化をすることができる。
【図１】
2020199752.tif 000003
【図２】
2020199752.tif 000004
【図３】
2020199752.tif 000005
【図４】
2020199752.tif 000006
【図５】
2020199752.tif 000007
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
正面視で、ボディーを含み、
前記ボディーの中には装丁チャンバが設置され、前記装丁チャンバの左端壁には装丁スタンドが固定的に設置され、前記装丁スタンドには左右対称の装丁溝が設置され、前記装丁スタンドには装丁待ちの段ボール箱が置かれており、前記装丁チャンバの上側には牽引チャンバが連通するように設置され、前記牽引チャンバの中には牽引装置が設置され、前記牽引装置が前記段ボール箱の装丁待ちの両側を平らに押すことができ、
前記牽引チャンバの上側には動力供給装置が設置され、前記動力供給装置が前記牽引装置と動力が伝達できるように連結され、
前記牽引チャンバの右側には左右対称の装丁空間が設置され、前記装丁空間の中には装丁装置が設置され、前記装丁空間の上側には押しチャンバが連通するように設置され、前記押しチャンバの中には前記動力供給装置と噛み合っている回転盤が回転できるように設置され、前記回転盤の下端面には環状筒が固定的に設置され、前記環状筒の下端が前記装丁装置と当接しており、
前記装丁空間の後側には装丁用針の装着装置が設置され、前記装丁用針の装着装置と前記装丁装置との間には動力伝送装置が動力が伝達できるように連結され、
前記段ボール箱の装丁待ちの両側を前記装丁スタンドに置き、前記牽引装置が前記段ボール箱の装丁待ちの両側を平らにして、且つ前記段ボール箱を推し動かして右方へ移動させ、前記装丁装置が作動して前記段ボール箱を装丁することを特徴とする段ボール箱の成型に用いられる高頻度装丁設備
【請求項２】
前記段ボール箱の装丁待ちの両側が上下に重ねて置かれ、前記環状筒の下面は斜度を有する環状面であることを特徴とする請求項１に記載の段ボール箱の成型に用いられる高頻度装丁設備。
【請求項３】
前記牽引装置は前記牽引チャンバの中に回転できるように設置された牽引回転輪を含み、
前記牽引回転輪の前端面には第一ベベルギヤが固定的に設置され、前記第一ベベルギヤのうち前記装丁スタンドから離れている一端には第二ベベルギヤが噛み合うように連結され、前記第二ベベルギヤの上端面にはギヤ回転軸が固定的に設置され、前記ギヤ回転軸の上端が前記動力供給装置と動力が伝達できるように連結されていることを特徴とする請求項１に記載の段ボール箱の成型に用いられる高頻度装丁設備。
【請求項４】
前記動力供給装置は動力モータを含み、
前記動力モータの下端には動力回転軸が動力が伝達できるように装着され、前記動力回転軸には動力ギヤが固定的に設置され、前記動力ギヤの右端が前記回転盤と噛み合っており、前記動力ギヤの下側には噛み合いチャンバが連通するように設置され、前記動力回転軸の下端が前記噛み合いチャンバの下端壁と回転できるように連結され、且つ前記動力回転軸の下端には半円ギヤが固定的に設置され、
前記噛み合いチャンバが前記牽引チャンバと連通しており、前記ギヤ回転軸の上端が前記噛み合いチャンバの上端壁と回転できるように連結され、且つ前記ギヤ回転軸の上端には噛み合いギヤが固定的に設置され、前記噛み合いチャンバが前記半円ギヤと噛み合うことができていることを特徴とする請求項１に記載の段ボール箱の成型に用いられる高頻度装丁設備。
【請求項５】
前記装丁装置は前記装丁空間の中に設置された装丁圧しブロックを含み、
前記装丁圧しブロックのうち対称中心に近接している端面には第一復帰部品が固定的に設置され、前記第一復帰部品が前記装丁圧しブロックを復帰させることができ、前記装丁圧しブロックの下端面には左右対称の定位輪が装着され、
前記装丁圧しブロックの中には開きチャンバが設置され、前記開きチャンバの中には押しナイフが設置され、左右の前記押しナイフのうち互いに近接している端面にはそれぞれ第二復帰部品が固定的に設置され、前記第二復帰部品が前記押しナイフを復帰させることができ、前記押しナイフの上端には押しロッドが固定的に設置され、前記押しロッドの上端面が前記環状筒と当接しており、
前記開きチャンバのうち対称中心から離れている一端には噛み合い回転チャンバが連通するように設置され、前記噛み合い回転チャンバの中には前記押しナイフと噛み合っている連結ギヤが回転できるように設置され、前記装丁空間のうち対称中心から離れている片側には伝動チャンバが連通するように設置され、前記伝動チャンバの中には伝動回転軸により伝動ギヤが回転できるように設置され、前記伝動ギヤが前記連結ギヤと噛み合うことができ、前記伝動回転軸の後端が前記動力伝送装置と動力が伝達できるように連結されていることを特徴とする請求項１に記載の段ボール箱の成型に用いられる高頻度装丁設備。
【請求項６】
前記第二復帰部品の中のばねの弾性が前記第一復帰部品の中のばねの弾性より大きいことを特徴とする請求項５に記載の段ボール箱の成型に用いられる高頻度装丁設備。
【請求項７】
前記装丁用針の装着装置は前記装丁空間に連通している装丁用針スライドチャンバを含み、
前記装丁用針スライドチャンバの中には装丁用針スライダがスライドできるように設置され、前記装丁用針スライダの中には装丁用針装着チャンバが設置され、前記装丁用針装着チャンバの中には装丁用針が装着され、前記装丁用針装着チャンバの内前側と前記装丁用針スライドチャンバとの間には上下対称の針圧し溝が連通するように設置され、前記装丁用針装着チャンバのうち対称中心に近接している一端と前記装丁用針スライドチャンバとの間には貫通溝が連通するように設置され、
前記装丁用針スライドチャンバの片側には収縮溝が連通するように設置され、前記収縮溝の中にはＬ型の収縮ロッドがスライドできるように設置され、前記収縮ロッドの後端が前記貫通溝を貫通して前記装丁用針装着チャンバの中に伸びており、且つ前記装丁用針の後端と当接しており、前記収縮ロッドの前端と前記収縮溝との間には伸縮ばねが固定的に設置され、前記装丁用針装着チャンバのうち前記貫通溝から離れている一端と前記装丁用針スライドチャンバとの間には開き溝が連通するように設置され、前記開き溝の前端壁には感応制御ブロックが固定的に設置され、
前記装丁用針スライドチャンバの上側には回しロッドチャンバが連通するように設置され、前記回しロッドチャンバの中には前記装丁圧しブロックと噛み合っている回しギヤが回転できるように設置され、前記回しギヤの外周には回転ロッドが固定的に設置され、前記回しロッドチャンバの中には連結ロッドが回転できるように設置され、前記連結ロッドの下端が前記装丁用針スライダとヒンジにより連結され、前記連結ロッドと前記回しロッドチャンバとの間には回転ばねが固定的に設置され、
左右の前記装丁用針スライドチャンバのうち互いに離れている片側にはそれぞれ移動チャンバが設置され、前記移動チャンバと前記装丁用針スライドチャンバとの間には連結チャンバが連通するように設置され、前記移動チャンバの中には移動ブロックが設置され、前記移動ブロックが前記装丁用針スライダと固定的に連結され、前記移動ブロックの中には十文字の移動スライド溝が設置され、前記移動スライド溝の中には移動親ねじが回転できるように設置され、前記移動スライド溝の前後側には対称の回転溝が連通するように設置され、前記回転溝の内端壁には気体シリンダーが固定的に設置され、前記移動親ねじの前端が前側の前記回転溝の前端まで伸びており、且つ前記移動親ねじの前端には回転ギヤが固定的に設置され、前記回転ギヤが前記動力伝送装置と動力が伝達できるように連結され、前記移動親ねじの後端が後側の前記回転溝の後端壁と回転できるように連結され、前記移動親ねじには捻りばねが設置され、
前記移動スライド溝と前記連結チャンバとの間には連通溝が連通するように設置され、前記移動スライド溝の中にある前記移動親ねじには移動ブロックがネジ山により連結され、前記移動ブロックの右端には回しロッドが固定的に設置され、前記回しロッドのうち前記装丁用針スライドチャンバに近接している一端が前記連通溝を貫通して前記装丁用針装着チャンバの中に伸びていることを特徴とする請求項１に記載の段ボール箱の成型に用いられる高頻度装丁設備。
【請求項８】
前記動力伝送装置は前記移動チャンバと連通している伝動空間を含み、
前記伝動空間の中には回転軸が回転できるように設置され、前記回転軸の後端が前記伝動空間の後端壁と回転できるように連結され、前記回転軸には固定ギヤが固定的に設置され、前記固定ギヤが前記回転ギヤと噛み合っており、
前記伝動空間の前側には片方向回転チャンバが連通するように設置され、前記回転軸の前端が前記片方向回転チャンバの中に伸びており、且つ前記回転軸の前端には外回転輪が固定的に設置され、前記外回転輪の中にはラチェットギヤが片方向に噛み合うように連結され、前記ラチェットギヤの前端には連結軸が固定的に設置され、
前記片方向回転チャンバの前側には推しチャンバが連通するように設置され、前記推しチャンバの中には推しブロックがスライドできるように設置され、前記推しブロックの中にはスプラインスリーブが回転できるように設置され、前記スプラインスリーブの後端が前記連結軸とスプラインにより連結されることができ、前記スプラインスリーブの前端にはスプライン軸がスプラインにより連結され、前記スプライン軸と前記伝動回転軸との間はベルトにより動力が伝達できるように連結され、前記推しチャンバの前端壁には油圧シリンダーが固定的に設置され、前記油圧シリンダーの後端には伸縮ロッドが動力が伝達できるように装着され、前記伸縮ロッドの後端が前記推しブロックと固定的に連結され、前記感応制御ブロックが前記油圧シリンダーを制御して作動させることができることを特徴とする請求項１に記載の段ボール箱の成型に用いられる高頻度装丁設備。
【手続補正２】
【補正対象書類名】明細書
【補正対象項目名】全文
【補正方法】変更
【補正の内容】
【発明の詳細な説明】
【技術分野】
【０００１】
本発明は包装技術分野を取り上げて、具体的には段ボール箱の成型に用いられる高頻度装丁設備である。
【背景技術】
【０００２】
現有の段ボール箱の成型に用いられる装丁機が主に人力で操作され、人が手動で段ボール箱の装丁待ちの側を一緒に折り畳み、また装丁装置に置き、次に人力で装丁装置の作業を制御し、操作の過程において操作のミスを犯しやすく、作業員の安全を害し、また、装丁の過程において装丁用の針を補充する時、装丁設備を止める必要があり、これにより装丁の効率を下げ、本発明は上記の問題を解決できる装置を開示した。
【先行技術文献】
【特許文献】
【０００３】
【特許文献１】中国特許出願公開第１０９２６３１４２号明細書
【発明の概要】
【発明が解決しようとする課題】
【０００４】
技術問題：
現有の装丁設備は主に人力で補助操作され、安全性が低く、しかも装丁装置の中の使用される装丁用の針の補充には設備を止める必要があり、装丁の効率を下げる。
【課題を解決するための手段】
【０００５】
上記の問題を解決するために、本発明は段ボール箱の成型に用いられる高頻度装丁設備を提供し、本発明の段ボール箱の成型に用いられる高頻度装丁設備は、ボディーを含み、前記ボディーの中には装丁チャンバが設置され、前記装丁チャンバの左端壁には装丁スタンドが固定的に設置され、前記装丁スタンドには左右対称の装丁溝が設置され、前記装丁スタンドには装丁待ちの段ボール箱が置かれており、前記装丁チャンバの上側には牽引チャンバが連通するように設置され、前記牽引チャンバの中には牽引装置が設置され、前記牽引装置が前記段ボール箱の装丁待ちの両側を平らに押すことができ、前記牽引チャンバの上側には動力供給装置が設置され、前記動力供給装置が前記牽引装置と動力が伝達できるように連結され、前記牽引チャンバの右側には左右対称の装丁空間が設置され、前記装丁空間の中には装丁装置が設置され、前記装丁空間の上側には押しチャンバが連通するように設置され、前記押しチャンバの中には前記動力供給装置と噛み合っている回転盤が回転できるように設置され、前記回転盤の下端面には環状筒が固定的に設置され、前記環状筒の下端が前記装丁装置と当接しており、前記装丁空間の後側には装丁用針の装着装置が設置され、前記装丁用針の装着装置と前記装丁装置との間には動力伝送装置が動力が伝達できるように連結され、前記段ボール箱の装丁待ちの両側を前記装丁スタンドに置き、前記牽引装置が前記段ボール箱の装丁待ちの両側を平らにして、且つ前記段ボール箱を推し動かして右方へ移動させ、前記装丁装置が作動して前記段ボール箱を装丁する。
【０００６】
好ましくは、前記段ボール箱の装丁待ちの両側が上下に重ねて置かれ、前記環状筒の下面は斜度を有する環状面であり、これにより前記環状筒が回転する時、二つの前記装丁装置が独立して同期せず作動し、これにより前記段ボール箱に連続装丁を行う。
【０００７】
好ましくは、前記牽引装置は前記牽引チャンバの中に回転できるように設置された牽引回転輪を含み、前記牽引回転輪の前端面には第一ベベルギヤが固定的に設置され、前記第一ベベルギヤのうち前記装丁スタンドから離れている一端には第二ベベルギヤが噛み合うように連結され、前記第二ベベルギヤの上端面にはギヤ回転軸が固定的に設置され、前記ギヤ回転軸の上端が前記動力供給装置と動力が伝達できるように連結され、前記牽引回転輪が回転して前記段ボール箱の装丁待ちの両側を平らにし、且つ前記段ボール箱を推し動かして右方へ移動させる。
【０００８】
好ましくは、前記動力供給装置は動力モータを含み、前記動力モータの下端には動力回転軸が動力が伝達できるように装着され、前記動力回転軸には動力ギヤが固定的に設置され、前記動力ギヤの右端が前記回転盤と噛み合っており、前記動力ギヤの下側には噛み合いチャンバが連通するように設置され、前記動力回転軸の下端が前記噛み合いチャンバの下端壁と回転できるように連結され、且つ前記動力回転軸の下端には半円ギヤが固定的に設置され、前記噛み合いチャンバが前記牽引チャンバと連通しており、前記ギヤ回転軸の上端が前記噛み合いチャンバの上端壁と回転できるように連結され、且つ前記ギヤ回転軸の上端には噛み合いギヤが固定的に設置され、前記噛み合いチャンバが前記半円ギヤと噛み合うことができ、前記動力モータが前記回転盤を駆動して回転させ、これにより前記装丁装置が作動して、前記半円ギヤが前記噛み合いギヤを連動させて間欠的に回転させることができ、これにより前記装丁装置が作動する時に前記牽引装置が停止し、定点装丁を完成する。
【０００９】
好ましくは、前記装丁装置は前記装丁空間の中に設置された装丁圧しブロックを含み、前記装丁圧しブロックのうち対称中心に近接している端面には第一復帰部品が固定的に設置され、前記第一復帰部品が前記装丁圧しブロックを復帰させることができ、前記装丁圧しブロックの下端面には左右対称の定位輪が装着され、前記装丁圧しブロックの中には開きチャンバが設置され、前記開きチャンバの中には押しナイフが設置され、左右の前記押しナイフのうち互いに近接している端面にはそれぞれ第二復帰部品が固定的に設置され、前記第二復帰部品が前記押しナイフを復帰させることができ、前記押しナイフの上端には押しロッドが固定的に設置され、前記押しロッドの上端面が前記環状筒と当接しており、前記開きチャンバのうち対称中心から離れている一端には噛み合い回転チャンバが連通するように設置され、前記噛み合い回転チャンバの中には前記押しナイフと噛み合っている連結ギヤが回転できるように設置され、前記装丁空間のうち対称中心から離れている片側には伝動チャンバが連通するように設置され、前記伝動チャンバの中には伝動回転軸により伝動ギヤが回転できるように設置され、前記伝動ギヤが前記連結ギヤと噛み合うことができ、前記伝動回転軸の後端が前記動力伝送装置と動力が伝達できるように連結され、前記環状筒が回転して前記装丁圧しブロックを下降させることができ、前記段ボール箱の位置を固定し、前記押しナイフと前記装丁用針の装着装置との協働により前記段ボール箱の装丁を完成する。
【００１０】
好ましくは、前記第二復帰部品の中のばねの弾性が前記第一復帰部品の中のばねの弾性より大きく、これにより前記押しロッドが前記押しナイフを連動させて下降させる時、前記押しナイフがまず前記装丁圧しブロックを連動させて同期的に下降させ、前記装丁圧しブロックが下降できない時、前記押しナイフが前記装丁圧しブロックに対して下降しはじめ、これにより前記段ボール箱の装丁を行う。
【００１１】
好ましくは、前記装丁用針の装着装置は前記装丁空間に連通している装丁用針スライドチャンバを含み、前記装丁用針スライドチャンバの中には装丁用針スライダがスライドできるように設置され、前記装丁用針スライダの中には装丁用針装着チャンバが設置され、前記装丁用針装着チャンバの中には装丁用針が装着され、前記装丁用針装着チャンバの内前側と前記装丁用針スライドチャンバとの間には上下対称の針圧し溝が連通するように設置され、前記装丁用針装着チャンバのうち対称中心に近接している一端と前記装丁用針スライドチャンバとの間には貫通溝が連通するように設置され、前記装丁用針スライドチャンバの片側には収縮溝が連通するように設置され、前記収縮溝の中にはＬ型の収縮ロッドがスライドできるように設置され、前記収縮ロッドの後端が前記貫通溝を貫通して前記装丁用針装着チャンバの中に伸びており、且つ前記装丁用針の後端と当接しており、前記収縮ロッドの前端と前記収縮溝との間には伸縮ばねが固定的に設置され、前記装丁用針装着チャンバのうち前記貫通溝から離れている一端と前記装丁用針スライドチャンバとの間には開き溝が連通するように設置され、前記開き溝の前端壁には感応制御ブロックが固定的に設置され、前記装丁用針スライドチャンバの上側には回しロッドチャンバが連通するように設置され、前記回しロッドチャンバの中には前記装丁圧しブロックと噛み合っている回しギヤが回転できるように設置され、前記回しギヤの外周には回転ロッドが固定的に設置され、前記回しロッドチャンバの中には連結ロッドが回転できるように設置され、前記連結ロッドの下端が前記装丁用針スライダとヒンジにより連結され、前記連結ロッドと前記回しロッドチャンバとの間には回転ばねが固定的に設置され、左右の前記装丁用針スライドチャンバのうち互いに離れている片側にはそれぞれ移動チャンバが設置され、前記移動チャンバと前記装丁用針スライドチャンバとの間には連結チャンバが連通するように設置され、前記移動チャンバの中には移動ブロックが設置され、前記移動ブロックが前記装丁用針スライダと固定的に連結され、前記移動ブロックの中には十文字の移動スライド溝が設置され、前記移動スライド溝の中には移動親ねじが回転できるように設置され、前記移動スライド溝の前後側には対称の回転溝が連通するように設置され、前記回転溝の内端壁には気体シリンダーが固定的に設置され、前記移動親ねじの前端が前側の前記回転溝の前端まで伸びており、且つ前記移動親ねじの前端には回転ギヤが固定的に設置され、前記回転ギヤが前記動力伝送装置と動力が伝達できるように連結され、前記移動親ねじの後端が後側の前記回転溝の後端壁と回転できるように連結され、前記移動親ねじには捻りばねが設置され、前記移動スライド溝と前記連結チャンバとの間には連通溝が連通するように設置され、前記移動スライド溝の中にある前記移動親ねじには移動ブロックがネジ山により連結され、前記移動ブロックの右端には回しロッドが固定的に設置され、前記回しロッドのうち前記装丁用針スライドチャンバに近接している一端が前記連通溝を貫通して前記装丁用針装着チャンバの中に伸びており、前記装丁用針が装丁するたびに一つ使用され、これにより回しロッドが前記装丁用針を回して前方へ移動させ、次回の装丁を準備する。
【００１２】
好ましくは、前記動力伝送装置は前記移動チャンバと連通している伝動空間を含み、前記伝動空間の中には回転軸が回転できるように設置され、前記回転軸の後端が前記伝動空間の後端壁と回転できるように連結され、前記回転軸には固定ギヤが固定的に設置され、前記固定ギヤが前記回転ギヤと噛み合っており、前記伝動空間の前側には片方向回転チャンバが連通するように設置され、前記回転軸の前端が前記片方向回転チャンバの中に伸びており、且つ前記回転軸の前端には外回転輪が固定的に設置され、前記外回転輪の中にはラチェットギヤが片方向に噛み合うように連結され、前記ラチェットギヤの前端には連結軸が固定的に設置され、前記片方向回転チャンバの前側には推しチャンバが連通するように設置され、前記推しチャンバの中には推しブロックがスライドできるように設置され、前記推しブロックの中にはスプラインスリーブが回転できるように設置され、前記スプラインスリーブの後端が前記連結軸とスプラインにより連結されることができ、前記スプラインスリーブの前端にはスプライン軸がスプラインにより連結され、前記スプライン軸と前記伝動回転軸との間はベルトにより動力が伝達できるように連結され、前記推しチャンバの前端壁には油圧シリンダーが固定的に設置され、前記油圧シリンダーの後端には伸縮ロッドが動力が伝達できるように装着され、前記伸縮ロッドの後端が前記推しブロックと固定的に連結され、前記感応制御ブロックが前記油圧シリンダーを制御して作動させることができ、前記動力伝送装置は前記装丁装置が一回作動した後に前記装丁用針の装着装置を連動させて一回作動させることができ、これにより前記装丁用針がタイムリーに補充される。
【発明の効果】
【００１３】
本発明の有益効果は：本発明の二つの装丁装置が並んで同期せず作動し、これにより二つの装丁装置がそれぞれ同じ位置で一回装丁し、しかも二つの装丁装置が交替で作動する過程において、段ボール箱が移動でき、装丁に連続性を持たせ、また、装丁用の装丁用針を入れる時、装丁装置が停止する必要がなく、これにより装丁作業が連続的に行われることができ、装丁の効率と速度を向上させる。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の段ボール箱の成型に用いられる高頻度装丁設備の全体構成模式図
【図２】図２は図１の「Ａ―Ａ」方向の構成模式図
【図３】図３は図２の「Ｂ―Ｂ」方向の構成模式図
【図４】図４は図３の「Ｃ―Ｃ」方向の構成模式図
【図５】図５は図３の「Ｄ」の拡大構成模式図
【発明を実施するための形態】
【００１６】
本発明は段ボール箱の成型に用いられる高頻度装丁設備を取り上げて、主に段ボール箱の成型過程における段ボール箱の装丁作業に用いられ、以下は本発明の付図を交えて本発明を更に説明する：  
【００１７】
図１〜５を参照し、本発明の段ボール箱の成型に用いられる高頻度装丁設備は、ボディー１０を含み、前記ボディー１０の中には装丁チャンバ１１が設置され、前記装丁チャンバ１１の左端壁には装丁スタンド１２が固定的に設置され、前記装丁スタンド１２には左右対称の装丁溝１３が設置され、前記装丁スタンド１２には装丁待ちの段ボール箱１４が置かれており、前記装丁チャンバ１１の上側には牽引チャンバ１５が連通するように設置され、前記牽引チャンバ１５の中には牽引装置６０１が設置され、前記牽引装置６０１が前記段ボール箱１４の装丁待ちの両側を平らに押すことができ、前記牽引チャンバ１５の上側には動力供給装置６０２が設置され、前記動力供給装置６０２が前記牽引装置６０１と動力が伝達できるように連結され、前記牽引チャンバ１５の右側には左右対称の装丁空間２６が設置され、前記装丁空間２６の中には装丁装置６０３が設置され、前記装丁空間２６の上側には押しチャンバ４７が連通するように設置され、前記押しチャンバ４７の中には前記動力供給装置６０２と噛み合っている回転盤２８が回転できるように設置され、前記回転盤２８の下端面には環状筒４８が固定的に設置され、前記環状筒４８の下端が前記装丁装置６０３と当接しており、前記装丁空間２６の後側には装丁用針の装着装置６０４が設置され、前記装丁用針の装着装置６０４と前記装丁装置６０３との間には動力伝送装置６０５が動力が伝達できるように連結され、前記段ボール箱１４の装丁待ちの両側を前記装丁スタンド１２に置き、前記牽引装置６０１が前記段ボール箱１４の装丁待ちの両側を平らにして、且つ前記段ボール箱１４を推し動かして右方へ移動させ、前記装丁装置６０３が作動して前記段ボール箱１４を装丁する。  
【００１８】
有益的には、前記段ボール箱１４の装丁待ちの両側が上下に重ねて置かれ、前記環状筒４８の下面は斜度を有する環状面であり、これにより前記環状筒４８が回転する時、二つの前記装丁装置６０３が独立して同期せず作動し、これにより前記段ボール箱１４に連続装丁を行う。
【００１９】
有益的には、前記牽引装置６０１は前記牽引チャンバ１５の中に回転できるように設置された牽引回転輪１６を含み、前記牽引回転輪１６の前端面には第一ベベルギヤ１７が固定的に設置され、前記第一ベベルギヤ１７のうち前記装丁スタンド１２から離れている一端には第二ベベルギヤ１８が噛み合うように連結され、前記第二ベベルギヤ１８の上端面にはギヤ回転軸１９が固定的に設置され、前記ギヤ回転軸１９の上端が前記動力供給装置６０２と動力が伝達できるように連結され、前記牽引回転輪１６が回転して前記段ボール箱１４の装丁待ちの両側を平らにし、且つ前記段ボール箱１４を推し動かして右方へ移動させる。
【００２０】
有益的には、前記動力供給装置６０２は動力モータ２４を含み、前記動力モータ２４の下端には動力回転軸２３が動力が伝達できるように装着され、前記動力回転軸２３には動力ギヤ２５が固定的に設置され、前記動力ギヤ２５の右端が前記回転盤２８と噛み合っており、前記動力ギヤ２５の下側には噛み合いチャンバ２０が連通するように設置され、前記動力回転軸２３の下端が前記噛み合いチャンバ２０の下端壁と回転できるように連結され、且つ前記動力回転軸２３の下端には半円ギヤ２２が固定的に設置され、前記噛み合いチャンバ２０が前記牽引チャンバ１５と連通しており、前記ギヤ回転軸１９の上端が前記噛み合いチャンバ２０の上端壁と回転できるように連結され、且つ前記ギヤ回転軸１９の上端には噛み合いギヤ２１が固定的に設置され、前記噛み合いチャンバ２１が前記半円ギヤ２２と噛み合うことができ、前記動力モータ２４が前記回転盤２８を駆動して回転させ、これにより前記装丁装置６０３が作動して、前記半円ギヤ２２が前記噛み合いギヤ２１を連動させて間欠的に回転させることができ、これにより前記装丁装置６０３が作動する時に前記牽引装置６０１が停止し、定点装丁を完成する。
【００２１】
有益的には、前記装丁装置６０３は前記装丁空間２６の中に設置された装丁圧しブロック２７を含み、前記装丁圧しブロック２７のうち対称中心に近接している端面には第一復帰部品３２が固定的に設置され、前記第一復帰部品３２が前記装丁圧しブロック２７を復帰させることができ、前記装丁圧しブロック２７の下端面には左右対称の定位輪３３が装着され、前記装丁圧しブロック２７の中には開きチャンバ３４が設置され、前記開きチャンバ３４の中には押しナイフ３０が設置され、左右の前記押しナイフ３０のうち互いに近接している端面にはそれぞれ第二復帰部品３１が固定的に設置され、前記第二復帰部品３１が前記押しナイフ３０を復帰させることができ、前記押しナイフ３０の上端には押しロッド２９が固定的に設置され、前記押しロッド２９の上端面が前記環状筒４８と当接しており、前記開きチャンバ３４のうち対称中心から離れている一端には噛み合い回転チャンバ３６が連通するように設置され、前記噛み合い回転チャンバ３６の中には前記押しナイフ３０と噛み合っている連結ギヤ３７が回転できるように設置され、前記装丁空間２６のうち対称中心から離れている片側には伝動チャンバ３５が連通するように設置され、前記伝動チャンバ３５の中には伝動回転軸３９により伝動ギヤ３８が回転できるように設置され、前記伝動ギヤ３８が前記連結ギヤ３７と噛み合うことができ、前記伝動回転軸３９の後端が前記動力伝送装置６０５と動力が伝達できるように連結され、前記環状筒４８が回転して前記装丁圧しブロック２７を下降させることができ、前記段ボール箱１４の位置を固定し、前記押しナイフ３０と前記装丁用針の装着装置６０４との協働により前記段ボール箱１４の装丁を完成する。
【００２２】
有益的には、前記第二復帰部品３１の中のばねの弾性が前記第一復帰部品３２の中のばねの弾性より大きく、これにより前記押しロッド２９が前記押しナイフ３０を連動させて下降させる時、前記押しナイフ３０がまず前記装丁圧しブロック２７を連動させて同期的に下降させ、前記装丁圧しブロック２７が下降できない時、前記押しナイフ３０が前記装丁圧しブロック２７に対して下降しはじめ、これにより前記段ボール箱１４の装丁を行う。
【００２３】
有益的には、前記装丁用針の装着装置６０４は前記装丁空間２６に連通している装丁用針スライドチャンバ４５を含み、前記装丁用針スライドチャンバ４５の中には装丁用針スライダ４６がスライドできるように設置され、前記装丁用針スライダ４６の中には装丁用針装着チャンバ４９が設置され、前記装丁用針装着チャンバ４９の中には装丁用針５１が装着され、前記装丁用針装着チャンバ４９の内前側と前記装丁用針スライドチャンバ４５との間には上下対称の針圧し溝５０が連通するように設置され、前記装丁用針装着チャンバ４９のうち対称中心に近接している一端と前記装丁用針スライドチャンバ４５との間には貫通溝５７が連通するように設置され、前記装丁用針スライドチャンバ４５の片側には収縮溝５５が連通するように設置され、前記収縮溝５５の中にはＬ型の収縮ロッド５３がスライドできるように設置され、前記収縮ロッド５３の後端が前記貫通溝５７を貫通して前記装丁用針装着チャンバ４９の中に伸びており、且つ前記装丁用針５１の後端と当接しており、前記収縮ロッド５３の前端と前記収縮溝５５との間には伸縮ばね５６が固定的に設置され、前記装丁用針装着チャンバ４９のうち前記貫通溝５７から離れている一端と前記装丁用針スライドチャンバ４５との間には開き溝５８が連通するように設置され、前記開き溝５８の前端壁には感応制御ブロック５９が固定的に設置され、前記装丁用針スライドチャンバ４５の上側には回しロッドチャンバ４０が連通するように設置され、前記回しロッドチャンバ４０の中には前記装丁圧しブロック２７と噛み合っている回しギヤ４１が回転できるように設置され、前記回しギヤ４１の外周には回転ロッド４２が固定的に設置され、前記回しロッドチャンバ４０の中には連結ロッド４３が回転できるように設置され、前記連結ロッド４３の下端が前記装丁用針スライダ４６とヒンジにより連結され、前記連結ロッド４３と前記回しロッドチャンバ４０との間には回転ばね４４が固定的に設置され、左右の前記装丁用針スライドチャンバ４５のうち互いに離れている片側にはそれぞれ移動チャンバ６９が設置され、前記移動チャンバ６９と前記装丁用針スライドチャンバ４５との間には連結チャンバ６０が連通するように設置され、前記移動チャンバ６９の中には移動ブロック６１が設置され、前記移動ブロック６１が前記装丁用針スライダ４６と固定的に連結され、前記移動ブロック６１の中には十文字の移動スライド溝６２が設置され、前記移動スライド溝６２の中には移動親ねじ６３が回転できるように設置され、前記移動スライド溝６２の前後側には対称の回転溝６６が連通するように設置され、前記回転溝６６の内端壁には気体シリンダー６７が固定的に設置され、前記移動親ねじ６３の前端が前側の前記回転溝６６の前端まで伸びており、且つ前記移動親ねじ６３の前端には回転ギヤ６８が固定的に設置され、前記回転ギヤ６８が前記動力伝送装置６０５と動力が伝達できるように連結され、前記移動親ねじ６３の後端が後側の前記回転溝６６の後端壁と回転できるように連結され、前記移動親ねじ６３には捻りばね９０が設置され、前記移動スライド溝６２と前記連結チャンバ６０との間には連通溝６４が連通するように設置され、前記移動スライド溝６２の中にある前記移動親ねじ６３には移動ブロック６５がネジ山により連結され、前記移動ブロック６５の右端には回しロッド５２が固定的に設置され、前記回しロッド５２のうち前記装丁用針スライドチャンバ４５に近接している一端が前記連通溝６４を貫通して前記装丁用針装着チャンバ４９の中に伸びており、前記装丁用針５１が装丁するたびに一つ使用され、これにより回しロッド５２が前記装丁用針５１を回して前方へ移動させ、次回の装丁を準備する。
【００２４】
有益的には、前記動力伝送装置６０５は前記移動チャンバ６９と連通している伝動空間７１を含み、前記伝動空間７１の中には回転軸７３が回転できるように設置され、前記回転軸７３の後端が前記伝動空間７１の後端壁と回転できるように連結され、前記回転軸７３には固定ギヤ７０が固定的に設置され、前記固定ギヤ７０が前記回転ギヤ６８と噛み合っており、前記伝動空間７１の前側には片方向回転チャンバ７２が連通するように設置され、前記回転軸７３の前端が前記片方向回転チャンバ７２の中に伸びており、且つ前記回転軸７３の前端には外回転輪７４が固定的に設置され、前記外回転輪７４の中にはラチェットギヤ７５が片方向に噛み合うように連結され、前記ラチェットギヤ７５の前端には連結軸７６が固定的に設置され、前記片方向回転チャンバ７２の前側には推しチャンバ７７が連通するように設置され、前記推しチャンバ７７の中には推しブロック７８がスライドできるように設置され、前記推しブロック７８の中にはスプラインスリーブ８１が回転できるように設置され、前記スプラインスリーブ８１の後端が前記連結軸７６とスプラインにより連結されることができ、前記スプラインスリーブ８１の前端にはスプライン軸８３がスプラインにより連結され、前記スプライン軸８３と前記伝動回転軸３９との間はベルト８４により動力が伝達できるように連結され、前記推しチャンバ７７の前端壁には油圧シリンダー７９が固定的に設置され、前記油圧シリンダー７９の後端には伸縮ロッド８０が動力が伝達できるように装着され、前記伸縮ロッド８０の後端が前記推しブロック７８と固定的に連結され、前記感応制御ブロック５９が前記油圧シリンダー７９を制御して作動させることができ、前記動力伝送装置６０５は前記装丁装置６０３が一回作動した後に前記装丁用針の装着装置６０４を連動させて一回作動させることができ、これにより前記装丁用針５１がタイムリーに補充される。
【００２５】
以下は図１〜５を交えて本文の段ボール箱の成型に用いられる高頻度装丁設備の使用ステップを詳しく説明する：
【００２６】
初期状態において、左右の装丁圧しブロック２７が装丁空間２６の中に位置しており、装丁用針スライダ４６が装丁用針スライドチャンバ４５の中に位置しており、移動ブロック６５が移動スライド溝６２の水平空間の中に位置しており、段ボール箱１４の装丁待ちの両側が装丁スタンド１２に重ねて置かれている。
【００２７】
装丁する時、動力モータ２４が作動して動力ギヤ２５を駆動して回転させ、半円ギヤ２２が噛み合いギヤ２１と噛み合っている時、半円ギヤ２２が噛み合いギヤ２１を連動させて回転させ、牽引回転輪１６を連動させて回転させることができ、これにより牽引回転輪１６が段ボール箱１４を推し動かして右方へ移動させ、同時に、動力ギヤ２５が回転盤２８を連動させて回転させ、これにより環状筒４８が左側の押しロッド２９を下方へ押して下降させ、これにより左側の装丁圧しブロック２７が下降し、これにより定位輪３３が段ボール箱１４と当接して段ボール箱１４の位置を固定し、この時に半円ギヤ２２が噛み合いギヤ２１から離脱し、これにより牽引回転輪１６が回転を停止し、装丁圧しブロック２７が下降する過程において、回しギヤ４１が回転し、これにより回転ロッド４２が連結ロッド４３を回して回転させ、これにより装丁用針スライダ４６が前方へ開きチャンバ３４の中に伸び、この時、左側の連結ギヤ３７が伝動ギヤ３８と噛み合い、押しロッド２９が下降し続け、これにより押しナイフ３０が下降して一つの装丁用針５１を下方へ押して下降させ、装丁用針５１が段ボール箱１４を貫通し、且つ装丁溝１３の中に向き合って曲がり、段ボール箱１４を装丁し、この時、連結ギヤ３７が伝動ギヤ３８を連動させて回転させ、ベルト８４によりラチェットギヤ７５を回転させ、これにより外回転輪７４が回転しなく、回転盤２８は環状筒４８の長端が左側の押しロッド２９から分離するまで回転した時、押しナイフ３０が第二復帰部品３１の作用のもとで上昇し、連結ギヤ３７が伝動ギヤ３８を連動させて逆方向へ回転させ、これによりラチェットギヤ７５を逆方向へ回転させ、これにより外回転輪７４が逆方向へ回転し、これにより油圧シリンダー７９が回転ギヤ６８を連動させて回転させ、更に移動親ねじ６３を回転させ、捻りばね９０が弾性エネルギーを蓄積し、これにより移動ブロック６５が前方へ移動し、回しロッド５２により装丁用針５１を推し動かして前方へ一つの装丁用針の距離移動させ、前端の装丁用針を針圧し溝５０の間まで推し動かし、次回の装丁を準備し、この時、半円ギヤ２２が噛み合いギヤ２１と噛み合い、これにより牽引回転輪１６が回転して段ボール箱１４を推し動かして右方へ移動させ、前回の装丁位置が右側の装丁空間２６の下側の位置に位置しており、環状筒４８が右側の押しロッド２９を下方へ押すまで回転する時、右側の定位輪３３が段ボール箱１４の位置を固定し、右側の押しナイフ３０が右側の装丁用針５１を押して下降させ、同じ位置で装丁用針５１が段ボール箱１４を貫通して段ボール箱１４を装丁し、この位置で二回装丁し、そして環状筒４８が左側の押しロッド２９を下方へ押しすまで回転する時、右側の押しナイフ３０が上昇し、右側の回しロッド５２を連動させて装丁用針５１を前方へ押し動かし、次回の装丁を準備し、これにより隣接の二つの装丁点の位置距離が二つの押しナイフ３０の間の距離に等しく、装丁用針５１を使用する過程において、伸縮ロッド５３が伸縮ばね５６の作用のもとで前方へ移動し、後側の補充用の装丁用針５１を推し動かして前方へ移動させ、回しロッド５２の前側の装丁用針５１を使い切った時、回しロッド５２が感応制御ブロック５９を触発させて作動させ、これにより油圧シリンダー７９が作動し、伸縮ロッド８０により推しブロック７８を推し動かして後方へ移動させ、これによりスプラインスリーブ８１がスプライン軸８３から離脱し、この過程において、移動ブロック６５が前側の回転溝６６の中で鉛直になるまで回転し、前側の気体シリンダー６７が作動して移動ブロック６５を推し動かして後方へ移動させ、移動ブロック６５が移動スライド溝６２の鉛直空間の中まで移動し、これにより移動親ねじ６３が捻りばね９０の作用のもとで逆方向へ回転し、これにより移動ブロック６５が移動スライド溝６２に沿って後側の回転溝６６の中まで後方へ移動し、且つ水平に置かれるまで回転し、これにより回しロッド５２が移動ブロック６５とともに回転して補充用の装丁用針５１の中に挿入され、後側の気体シリンダー６７が作動して移動ブロック６５を推し動かして前方へ移動スライド溝６２の水平空間の中まで移動させ、この時、油圧シリンダー７９が作動し、これにより第二ベベルギヤ１８がスプライン軸８３と再び連結され、装丁の継続により移動ブロック６５を連動させて前方へ移動させ、これにより回しロッド５２が前方へ移動して装丁用針５１を推し動かして前方へ移動させて装丁を行うことができ、これにより伸縮ロッド５３を後方へ引いて新しい装丁用針５１を装丁用針の装着チャンバ４９の中に入れることができ、装丁用針５１を入れる過程において装丁が停止しなく、装丁の効率を上げる。
【００２８】
本発明の有益効果は：本発明の二つの装丁装置が並んで同期せず作動し、これにより二つの装丁装置がそれぞれ同じ位置で一回装丁し、しかも二つの装丁装置が交替で作動する過程において、段ボール箱が移動でき、装丁に連続性を持たせ、また、装丁用の装丁用針を入れる時、装丁装置が停止する必要がなく、これにより装丁作業が連続的に行われることができ、装丁の効率と速度を向上させる。
【００２９】
以上の方式により、本分野の技術者が本発明の範囲内に作動モードにより各種な変化をすることができる。